(57)【要約】【課題】  口出し時に光ファイバ心線の破損防止を図るようにした。【解決手段】  光ファイバ心線３と、この光ファイバ心線３の近傍に平行に両脇に配置された一対の抗張力体５と、前記光ファイバ心線３の中心と前記抗張力体５の中心とが第１平面１１をとおるべく被覆した平型形状のシース７と、このシース７の長辺側の両側表面に設けたシース引裂き用の一対のノッチ２３と、で長尺の光ファイバエレメント部９を構成し、前記ノッチ２３が前記光ファイバエレメント部９の中心に対して対角の位置に配置され、断面が鈍角三角形状からなっていると共に、前記ノッチ２３のノッチ先端が前記光ファイバ心線３の端付近に位置すべく、前記ノッチ２３の開口部２５を除く２辺２７、２９が前記ノッチ先端（Ｃ、Ｄ）より前記光ファイバエレメント部９の長辺方向の外側に位置していることを特徴とする。【選択図】図１
2006323165.tif 000002
【特許請求の範囲】
【請求項１】
光ファイバ心線と、この光ファイバ心線の近傍に平行に両脇に配置された一対の抗張力体と、前記光ファイバ心線の中心と前記抗張力体の中心とが第１平面をとおるべく被覆した平型形状のシースと、このシースの長辺側の両側表面に設けたシース引裂き用の一対のノッチと、で長尺の光ファイバエレメント部を構成し、前記ノッチが前記光ファイバエレメント部の中心に対して対角の位置に配置され、断面が鈍角三角形状からなっていると共に、前記ノッチのノッチ先端が前記光ファイバ心線の端付近に位置すべく、前記ノッチの開口部を除く２辺が前記ノッチ先端より前記光ファイバエレメント部の長辺方向の外側に位置していることを特徴とする光ファイバケーブル。
【請求項２】
前記光ファイバエレメント部に、支持線をシースで被覆した長尺のケーブル支持線部が互いに平行に一体化されていることを特徴とする請求項１記載の光ファイバケーブル。
【請求項３】
前記第１平面上における光ファイバ心線の長辺方向の外側の位置と前記ノッチ先端から下ろした垂線の前記第１平面との交点の位置との距離が０．１５ｍｍ以内であることを特徴とする請求項１または２記載の光ファイバケーブル。
【発明の詳細な説明】
【技術分野】
【０００１】
この発明は、光ファイバケーブルから光ファイバ心線を小規模ビル或いは一般家庭に引き落とす際に使用される光ファイバドロップケーブルやインドア光ファイバケーブルなどの光ファイバケーブルに関する。
【背景技術】
【０００２】
従来、ＦＴＴＨ（Fiber to the Home）すなわち家庭またはオフィスでも超高速データ等の高速広帯域情報を送受できるようにするために、電話局から延線されたアクセス系の光ファイバケーブルから、ビルあるいは一般住宅などの加入者宅へ光ファイバテープ心線などの光ファイバ心線が引き落とされて、これを配線するために光ファイバドロップケーブルが用いられている。つまり、光ファイドロップバケーブルは電柱上の幹線ケーブルの分岐クロージャから家庭内へ光ファイバを引き込む際に用いられ、主に、図２に示されているような光ファイバドロップケーブル（屋外線）や、より長い布設径間長に適用するために支持線サイズをＵＰした少心光架空ケーブルが使用されている。
【０００３】
図２を参照するに、従来の光ファイバドロップケーブル１０１は、特許文献１の図８に示されているような光ファイバ心線としての例えば２本の２心光ファイバテープ心線１０３と、この２心光ファイバテープ心線１０３を挟んでその両側に平行に配置された少なくとも一対の抗張力体１０５と、前記光ファイバテープ心線１０３と一対の抗張力体１０５との外周上を被覆した断面形状が例えば平型形状で樹脂からなるシース１０７と、で長尺の光エレメント部１０９を構成している。
【０００４】
前記２心光ファイバテープ心線１０３と一対の抗張力体１０５の中心軸（Ｘ軸）を通る第１平面１１１と垂直で、かつ前記２心光ファイバテープ心線１０３の中心軸（Ｙ軸）を通る第２平面１１３の両側から距離Ｌだけ離れた前記２本の２心光ファイバテープ心線１０３の外側面を通る垂直な第３、第４平面１１５、１１７における前記シース１０７の表面には断面が例えば２等辺三角形のノッチ１１９、１２１が形成されている。
【０００５】
前記長尺の光エレメント部１０９と、この光エレメント部１０９における外被１０７の左側に首部１２３を介して、支持線としての吊り線１２５を被覆した樹脂からなるシース１２７で一体化されたケーブル支持線部１２９と、から前記光ファイバドロップケーブル１０１が構成されている。しかも、前記吊り線１２５の中心軸（Ｘ軸）を通る平面は前記第１平面１１１と一致している。
【０００６】
また、特許文献２には上記の光ファイバドロップケーブルにおける光エレメント部と同じように光ファイバ心線と、この光ファイバ心線を挟んでその両側に平行に配置された少なくとも一対の抗張力体と、前記光ファイバ心線と一対の抗張力体との外周上を被覆した断面形状が例えば平型形状で樹脂からなるシースと、で長尺の光エレメント部が示されている。この長尺の光エレメント部において、ノッチが光ファイバ心線より離れて光ファイバ心線と抗張力体との間における前記シースの表面に形成されていると共にそのノッチの断面が２等辺三角形状や直角三角形状となっていて、ノッチの先端が前記光ファイバ心線に向いていない。
【特許文献１】特開２００４−２０６００８号公報
【特許文献２】特開２００２−９０５９３号公報
【発明の開示】
【発明が解決しようとする課題】
【０００７】
ところで、上述した特許文献１に示したような図２の光ファイバドロップケーブル１０１において、吊り線１２５と光エレメント部１０９とは首部１２３から切り裂いて吊り線１２５と光エレメント部１０９を切り離した後、光ファイバドロップケーブル１０１の端末部よりノッチ１１９、１２１に沿って切り込みを入れ、指で掴んでシース１０７を引き裂いて２心光ファイバテープ心線１０３の口出しを行う。このような口出し方法は、２本の抗張力体１０５を結んだ方向にも、その垂直方向にも引き裂くことができてしまう。２心光ファイバテープ心線１０３を実装した光ファイバドロップケーブル１０１の場合、２本の抗張力体１０５を結んだ線に対して垂直方向に引き裂くと、２心光ファイバテープ心線１０３にせん断が与えられ破損する恐れがある。
【０００８】
上述した特許文献２に示した光ファイバドロップケーブルは、ノッチへ例えば蝉の産卵管が突き刺さっても光ファイバ心線に外傷を与えないようにノッチの断面を２等辺三角形状や直角三角形状にしたものであるが、ノッチのノッチ先端が光ファイバ心線に向いていないから、光ファイバ心線の口出し性においては上述した特許文献１に示したものより劣っている。
【０００９】
この発明は上述の課題を解決するためになされたものである。
【課題を解決するための手段】
【００１０】
上記発明が解決しようとする課題を達成するためにこの発明の光ファイバケーブルは、光ファイバ心線と、この光ファイバ心線の近傍に平行に両脇に配置された一対の抗張力体と、前記光ファイバ心線の中心と前記抗張力体の中心とが第１平面をとおるべく被覆した平型形状のシースと、このシースの長辺側の両側表面に設けたシース引裂き用の一対のノッチと、で長尺の光ファイバエレメント部を構成し、前記ノッチが前記光ファイバエレメント部の中心に対して対角の位置に配置され、断面が鈍角三角形状からなっていると共に、前記ノッチのノッチ先端が前記光ファイバ心線の端付近に位置すべく、前記ノッチの開口部を除く２辺が前記ノッチ先端より前記光ファイバエレメント部の長辺方向の外側に位置していることを特徴とするものである。
【００１１】
この発明の光ファイバケーブルは、前記光ファイバケーブルにおいて、前記光ファイバエレメント部に、支持線をシースで被覆した長尺のケーブル支持線部が互いに平行に一体化されていることが好ましい。
【００１２】
この発明の光ファイバケーブルは、前記光ファイバケーブルにおいて、前記第１平面上における光ファイバ心線の長辺方向の外側の位置と前記ノッチ先端から下ろした垂線の前記第１平面との交点の位置との距離が０．１５ｍｍ以内であることが好ましい。
【発明の効果】
【００１３】
以上のごとき課題を解決するための手段の説明から理解されるように、この発明によれば、前記ノッチが前記光ファイバエレメント部の中心に対して対角の位置に配置され、断面が鈍角三角形状からなっていると共に、前記ノッチのノッチ先端が前記光ファイバ心線の端付近に位置すべく、前記ノッチの開口部を除く２辺が前記ノッチ先端より前記光ファイバエレメント部の長辺方向の外側に位置しているので、２個所のノッチ先端を結ぶ線は光ファイバ心線の長辺と平行に近づくことになる。そのため、シースを指で掴んで引き裂いた時の亀裂は光ファイバ心線とシースの境界に沿って走ることになる。
【００１４】
このとき、シースは２本の抗張力体を結んだ線と直交する方向に引き裂けるが、亀裂が光ファイバ心線とシースの境界を走るため、光ファイバ心線にせん断は加わらない。また、光ファイバ心線は長径方向に引っ張られないため、心線間に張力が加わらず、心線が分離することもない。
【発明を実施するための最良の形態】
【００１５】
以下、この発明の実施の形態について図面を参照して詳細に説明する。
【００１６】
図１を参照するに、光ファイバケーブルとしての例えば光ファイバドロップケーブル１は、光ファイバ心線としての例えば４心光ファイバテープ心線３と、この４心光ファイバテープ心線３を挟んでその両側に平行に配置された少なくとも一対の抗張力体５と、前記光ファイバテープ心線３と一対の抗張力体５との外周上を被覆した断面形状が例えば平型形状で例えばポリ塩化ビニル（ＰＶＣ）や難燃性のポリエチレン（ＰＥ）のような熱可塑性樹脂からなるシース（外被）７と、で長尺の光エレメント部９を構成している。
【００１７】
前記４心光ファイバテープ心線３と一対の抗張力体５の中心軸（Ｘ軸）を通る平面が第１平面１１となっている。この第１平面１１に垂直で、かつ前記４心光ファイバテープ心線３の中心軸（Ｙ軸）を通る平面が第２平面１３となっている。この第１平面１１の両側から距離Ｌ１だけ離れた前記４心光ファイバテープ心線３の外側面を通る垂直な平面が第３、第４平面１５、１７となっている。この第３、第４平面１５、１７より左右に距離Ｌ２だけ離れた垂直な平面が第５、第６平面１９、２１となっている。
【００１８】
この第５、第６平面１９、２１と前記第１平面１１とが交わる交点をそれぞれＡ、Ｂとする。この交点Ａ、Ｂより上下方向へ距離Ｌ３だけ離れた第５、第６平面１９、２１上の点をそれぞれ点Ｃ、Ｄとする。この点Ｃ、Ｄをノッチ２３のノッチ先端とする。前記ノッチ２３が前記光ファイバエレメント部９の中心Ｏ（前記第１平面１１と第２平面１３との交点）に対して対角の位置に配置され、断面が鈍角三角形状からなっている。前記ノッチ２３のノッチ先（Ｃ、Ｄ）端が前記光ファイバ心線３の端付近に位置すべく、前記ノッチ２３の開口部２５を除く２辺２７、２９が前記ノッチ先端（Ｃ、Ｄ）より前記光ファイバエレメント部９の長辺方向の外側に位置している。前記ノッチ２３の断面が鈍角三角形状からなっている。すなわち、開口部２５と辺２９との挟む角（θ）が鈍角となっている。
【００１９】
前記長尺の光エレメント部９と、この光エレメント部９におけるシース７の左側に首部３１を介して、支持線としての吊り線３３を被覆した例えばポリ塩化ビニル（ＰＶＣ）や難燃性のポリエチレン（ＰＥ）のような熱可塑性樹脂からなるシース３５で一体化されたケーブル支持線部３７と、から前記光ファイバドロップケーブル１が構成されている。しかも、前記吊り線３３の中心軸（Ｘ軸）を通る平面は前記第１平面１１と一致している。
【００２０】
上記構成により、前記ノッチ２３のノッチ先端（Ｃ、Ｄ）が前記光ファイバ心線３の端付近に位置すべく、前記ノッチ２３の開口部２５を除く２辺２７、２９が前記ノッチ先端（Ｃ、Ｄ）より前記光ファイバエレメント部９の長辺方向の外側に位置していることから、２個所のノッチ先端（Ｃ、Ｄ）を結ぶ線は４心光ファイバ心線３の長辺と平行に近づくことになる。そのため、シース７を指で掴んで引き裂いた時の亀裂は４心光ファイバ心線３とシース７の境界に沿って走ることになる。
【００２１】
このとき、シース７は２本の抗張力体５の中心を結んだ線すなわち、第１平面１１と直交する方向に引き裂けるが、亀裂が４心光ファイバテープ心線３とシース７の境界を走るため、４心光ファイバ心線３にせん断は加わらない。また、４心光ファイバ心線３は長径方向に引っ張られないため、心線間に張力が加わらず、心線が分離することもない。
【００２２】
前記第３、第４平面１５、１７と第５、第６平面１９、２１との間の距離Ｌ２は、０．１５ｍｍ以内であることが好ましい。距離Ｌ２が０．１５ｍｍを越えると、ノッチ２３のノッチ先端と４心光ファイバ心線３の端までの距離が長くなって、引き裂き性が悪くなってしまうからである。
【００２３】
図１に示した光ファイバドロップケーブル１を実際に試作した。光ファイバテープ心線３には、容易に単心線に分割可能な光ファイバテープ心線を用いた。また、抗張力体５には、アラミドＦＲＰ、吊り線３３にはφ１．２ｍｍ亜鉛めっき鋼線、シース７、３５には難燃ポリオレフィンを使用した。外径は約５．８×２．０ｍｍとした。
【００２４】
試作の結果、伝送損失は０．２５ｄＢ／ｋｍ以下（測定波長：１．５５μｍ）、−３０〜＋７０℃×３サイクルにおける損失温度変動０．１ｄＢ／ｋｍ以下（測定波長：１．５５μｍ）と良好であることを確認した。
【００２５】
実験の結果から、ノッチ２３のノッチ先端（Ｃ、Ｄ）は、光ファイバテープ心線３の端から±０．１５ｍｍ、ノッチ３３の開口部２５は、ノッチ先端（Ｃ、Ｄ）の位置より光エレメント部９の外側に位置する場合に、亀裂が光ファイバテープ心線３とシース７の境界を走り、容易に単心線に分割可能な光ファイバテープ心線３を破損することなく、容易に口出しが可能であった。
【００２６】
なお、この発明は前述した実施の形態に限定されることなく、適宜な変更を行うことによりその他の態様で実施し得るものである。光ファイバケーブルとして光ファイバドロップケーブル１を例にとって説明したが、ケーブル支持線部３３を取り除いた光エレメント部のみのインドア光ファイバケーブルであっても対応可能である。
【図面の簡単な説明】
【００２７】
【図１】この発明の光ファイバケーブルとしての例えば光ファイバドロップケーブルの断面図である。
【図２】従来の光ファイバケーブルとしての例えば光ファイバドロップケーブルの断面図である。
【符号の説明】
【００２８】
１  光ファイバドロップケーブル（光ファイバケーブル）
３  ４心光ファイバテープ心線（光ファイバ心線）
５  抗張力体
７  シース
９  光エレメント部
１１  第１平面
１３  第２平面
１５  第３平面
１７  第４平面
１９  第５平面
２１  第６平面
２３  ノッチ
２５  開口部
２７  辺
２９  辺
３１  首部
３３  吊り線（支持線）
３５  シース
３７  ケーブル支持線部
【図１】
2006323165.tif 000003
【図２】
2006323165.tif 000004